(57)【要約】【課題】中高年期の女性が装着した場合であっても姿勢と体型の両方を補整することができる機能性衣類を提供する。【解決手段】本発明に係る機能衣類１は、着用者の上半身の前面を覆う前側被覆部１０と背面を覆う後側被覆部２０とを有する。後側被覆部２０は、左右の肩被覆部２１、２２と、背中被覆部２３と、臀部被覆部２４とを含む。背中被覆部２３は、着用者の背中心から左脇を経由して左側の乳房の下縁の左半部に至る領域を覆う、該背中心から左脇に向かって斜め上方向に伸縮する伸縮性布材で形成された左背中被覆部２３１と、着用者の背中心から右脇を経由して右側の乳房の下縁の右半部に至る領域を覆う、該背中心から右脇に向かって斜め上方向に伸縮する伸縮性布材で形成された右背中被覆部２３２から構成されている。【選択図】図１
2018100467.tif 000002
【特許請求の範囲】
【請求項１】
着用者の上半身の前面及び背面を覆う機能衣類であって、
着用者の背中心から左脇を経由して左側の乳房の下縁の左半部に至る領域を覆う、該背中心から左脇に向かって斜め上方向に伸縮する伸縮性布材で形成された左背中被覆部と、
着用者の背中心から右脇を経由して右側の乳房の下縁の右半部に至る領域を覆う、該背中心から右脇に向かって斜め上方向に伸縮する伸縮性布材で形成された右背中被覆部と
を含むことを特徴とする機能衣類。
【請求項２】
請求項１に記載の機能衣類において、さらに、
着用者の左右の乳房の下縁から左肩及び右肩に至る領域であって首の周囲部を除く領域を覆う胸部被覆部と、
該胸部被覆部の下縁の中央部から股部に至る領域を覆う、上下方向に伸縮する伸縮性布材で形成された前部中央被覆部と、
前記前部中央被覆部の左縁から着用者の左側面を経由して背面下部の中心に至る領域を覆う、伸縮性布材から形成された左側被覆部と、
前記前部中央被覆部の右縁から着用者の右側面を経由して背面下部の中心に至る領域を覆う、伸縮性布材から形成された右側被覆部と、
を備えることを特徴とする機能衣類。
【請求項３】
請求項２に記載の機能衣類において、さらに、
前記胸部被覆部が、
着用者の左側の乳房の下縁右側から左肩に向かって斜め左上方向に伸縮する伸縮性布材から形成された左肩掛部と、着用者の左側の乳房を下方から支持する、クッション性布材から形成された左サポート部とから構成された左胸部被覆部と、
着用者の右側の乳房の下縁左側から右肩に向かって斜め右上方向に伸縮する伸縮性布材から形成された右肩掛部と、着用者の右側の乳房を下方から支持する、クッション性布材から形成された右サポート部とから構成された左胸部被覆部とを備えることを特徴とする機能衣類。
【請求項４】
請求項２に記載の機能衣類において、さらに、
前記胸部被覆部が、左右の乳房を保持する左右一対のカップ部を備えることを特徴とする機能衣類。
【発明の詳細な説明】
【技術分野】
【０００１】
本発明は、体型や姿勢を補整する機能を有する機能衣類に関する。
【背景技術】
【０００２】
女性の、体型を美しく見せたいという願望に応えるため、下着や肌着、Ｔシャツといった衣類に、体型補整機能や姿勢補整機能を付加したものが多く提供されている。一般に体型・姿勢補整機能を有する衣類（以下、機能衣類という）では、胸部の両脇部や背面部、腰部等に伸縮部材が配置されていて、着用者の両脇や腰部を締め付けることで体型を補整し、両肩を背中の中央に引き寄せることで背中を丸めた姿勢（猫背）を補整するようにしている。
【０００３】
このような機能衣類は、主に２０歳代〜５０歳代の女性を対象に開発されており、これらの年代の女性の理想的な体型に基づいて伸縮部材を配置する箇所や伸縮部材の伸縮力が設定されている。一方、近年の高齢化に伴い、機能衣類を着用する６０歳以上の中高年期女性が増えつつあるが、高齢になると筋肉の強さが低下してくるため、中高年期の女性が上述の機能衣類を着用すると、伸縮部材による締め付け力が大きすぎて着心地が悪かったり、背中の曲げ伸ばしといった日常動作に支障が出たりすることがあった。
【０００４】
これに対して、特許文献１には、着用者の背中付近に締め付け力の大きい伸縮部材と締め付け力の小さい非伸縮部材を配置した姿勢補整衣類が開示されている。この姿勢補整衣類は、伸縮部材が上部及び下部に分かれて配置されており、これら伸縮部材で挟まれた箇所が締め付け力の小さい非伸縮部材で構成されている。
【０００５】
上下に配置された伸縮部材は、いずれも着用者の背面から両脇を通り、左右の乳房付近まで延びる長尺な帯状部材であって、背骨（胸椎）に沿った方向よりも肋骨に沿った方向に、より大きく伸縮する部材から形成されている。このような構成により、着用者の日常動作を妨げることなく姿勢を補整するようにしている。
【先行技術文献】
【特許文献】
【０００６】
【特許文献１】特開2015-066312号公報
【発明の概要】
【発明が解決しようとする課題】
【０００７】
中高年期の女性は、筋肉の強さが低下した箇所に贅肉が付いていることが多い。そのため、特許文献１に記載されている機能衣類のように、背面に２個の伸縮部材が上下に分かれて配置されていると、伸縮部材で押圧される箇所とそれ以外の箇所との間に贅肉による段差がたくさん出来、その結果、着用者の背中に凸凹が生じてしまい、外観が悪くなるという問題があった。
【０００８】
本発明が解決しようとする課題は、中高年期の女性が装着した場合に外観を損なうことなく姿勢や体型を補整することができる機能衣類を提供することである。
【課題を解決するための手段】
【０００９】
上記課題を解決するために成された本発明に係る機能衣類は、
着用者の上半身の前面及び背面を覆う機能衣類であって、
着用者の背中心から左脇を経由して左側の乳房の下縁の左半部に至る領域を覆う、該背中心から左脇に向かって斜め上方向に伸縮する伸縮性布材で形成された左背中被覆部と、
着用者の背中心から右脇を経由して右側の乳房の下縁の右半部に至る領域を覆う、該背中心から右脇に向かって斜め上方向に伸縮する伸縮性布材で形成された右背中被覆部と
を含むことを特徴とする。
【００１０】
本発明に係る機能衣類は、ボディスーツやキャミソール、スリップ等の下着やＴシャツ、水着、レオタード等、着用者の上半身の前面から背面を覆う衣類に適用することができる。
上記構成の機能衣類においては、左背中被覆部及び右背中被覆部は、着用者の背面の中心よりも上部であって肩胛骨付近を除く領域、つまり、左右の広背筋が位置する領域を被覆し、左背中被覆部及び右背中被覆部の伸縮力によって、左右の広背筋をそれぞれ斜め左上方向及び斜め右上方向に持ち上げる。この結果、着用者の背筋が伸ばされ、姿勢が補整される。また、左背中被覆部は着用者の背中心から左脇を経由して左側の乳房の下縁の左半部に至る領域を覆い、右背中被覆部は着用者の背中心から右脇を経由して右側の乳房の下縁の右半部に至る領域を覆う。このため、左背中被覆部及び右背中被覆部から贅肉が多くはみ出ることがなく、着用者の背面の外観が悪くなることがない。
【００１１】
本発明に係る機能衣類においては、さらに、
着用者の左右の乳房の下縁から左肩及び右肩に至る領域であって首の周囲部を除く領域を覆う胸部被覆部と、
該胸部被覆部の下縁の中央部から股部に至る領域を覆う、上下方向に伸縮する伸縮性布材で形成された前部中央被覆部と、
前記前部中央被覆部の左縁から着用者の左側面を経由して背面下部の中心に至る領域を覆う、伸縮性布材から形成された左側被覆部と、
前記前部中央被覆部の右縁から着用者の右側面を経由して背面下部の中心に至る領域を覆う、伸縮性布材から形成された右側被覆部と、
を備えることが好ましい。
【００１２】
上記構成によれば、中央被覆部によって着用者の腹部中央を押圧しつつ、左側被覆部及び右側被覆部によって着用者の臀部が持ち上げられる。
【００１３】
さらに、上記構成の機能衣類においては、前記胸部被覆部が、
着用者の左側の乳房の下縁右側から左肩に向かって斜め左上方向に伸縮する伸縮性布材から形成された左肩掛部と、着用者の左側の乳房を下方から支持する、クッション性布材から形成された左サポート部とから構成された左胸部被覆部と、
着用者の右側の乳房の下縁左側から右肩に向かって斜め右上方向に伸縮する伸縮性布材から形成された右肩掛部と、着用者の右側の乳房を下方から支持する、クッション性布材から形成された右サポート部とから構成された左胸部被覆部とを備えることが好ましい。
【００１４】
上記構成によれば、左胸部被覆部が、左サポート部によって左乳房を優しく支持した状態で着用者の左側の乳房を持ち上げ、右胸部被覆部が、右サポート部によって右側の乳房を優しく支持した状態で着用者の右側の乳房を持ち上げる。このため、着用者が圧迫感を感じることなく着用者の胸部（バスト）を美しく見せることができる。
【００１５】
また、上記構成の機能衣類においては、前記胸部被覆部が、左右の乳房を保持する左右一対のカップ部を備えることが好ましい。この構成によれば、着用者の左右の乳房を安定的に保持することができる。
【発明の効果】
【００１６】
本発明に係る機能衣類によれば、中高年期の女性が装着した場合でも、外観を損なうことなく姿勢や体型を補整することができる。
【図面の簡単な説明】
【００１７】
【図１】本発明に係る機能性衣類の実施形態であるボディスーツの正面図（ａ)、背面図（ｂ）。
【図２】本発明の一実施形態の変形例に係るボディスーツの正面図。
【図３】本発明の一実施形態の別の変形例に係るボディスーツの正面図。
【発明を実施するための形態】
【００１８】
以下、本発明に係る機能性衣類の具体的な実施形態について、図面を参照しつつ説明する。
【００１９】
図１を用いて、本発明に係る機能性衣類をボディスーツに適用した一実施形態について説明する。図１（ａ）はボディスーツ１の正面図、図１（ｂ）は背面図である。
本実施形態に係るボディスーツ１は、前側被覆部１０と、後側被覆部２０とを有する。前側被覆部１０は、着用者の左右の乳房の下縁から左肩及び右肩に至る領域であって首の周囲を除く領域を覆う胸部被覆部１１と、前記胸部被覆部１１の下端に連なる、着用者の左右の乳房の下縁から足の付け根付近までを覆うフロント部１２とを備える。
後側被覆部２０は、左右の肩被覆部２１、２２と、背中被覆部２３と、臀部被覆部２４とを備える。
【００２０】
胸部被覆部１１は、その下縁が乳房の下半部の周縁に沿った形状を有しており、略三角形状の左胸部被覆部１１１及び右胸部被覆部１１２を、それぞれの右端部と左端部を重ね合わせて構成されている。左胸部被覆部１１１は、左乳房の下半部を覆う、クッション性布材から成る左サポート部１１３と、左乳房の右側部から左肩に至る領域を覆う左肩掛部１１４とを含む。左肩掛部１１４は、第１パーツ１１４ａ及び第２パーツ１１４ｂを縫い合わせて構成されている。第１パーツ１１４ａは、図１に矢印Ａ１で示す方向に大きく伸縮する伸縮性布材から形成され、第２パーツ１１４ｂは図１に矢印Ｂ１で示す方向に大きく伸縮する伸縮性布材から形成されている。なお、本明細書において、「所定の方向に大きく伸縮する伸縮性布材」とは、その所定の方向の伸縮率が、その他の方向の伸縮率に比べて大きい布材をいい、その他の方向に伸縮しない布材をいうわけではない。
【００２１】
同様に、右胸部被覆部１１２は、右乳房の下半部を覆う、クッション性布材から成る右サポート部１１５と、右乳房の左側部から右肩に至る領域を覆う右肩掛部１１６とを含む。右肩掛部１１６は、伸縮性を有する生地から成る第１パーツ１１６ａ及び第２パーツ１１６ｂを縫い合わせて構成されている。第１パーツ１１６ａは、図１に矢印Ａ２で示す方向に伸縮し、第２パーツ１１６ｂは図１に矢印Ｂ２で示す方向に伸縮する。
【００２２】
胸部被覆部１１のうち左右の乳房に対応する部分の裏側には、左右のカップ部１１７、１１８が配置されている。左右のカップ部１１７、１１８は、それらの下縁が胸部被覆部１１の下縁とともにフロント部１２の上縁に縫いつけられている。また、左側のカップ部１１７の左縁及び上縁の左半部、及び右側のカップ部１１８の右縁及び上縁の右半部は、いずれも胸部被覆部１１に縫いつけられている。つまり、カップ部１１７、１１８は、一部を残して胸部被覆部１１に固定されている。
【００２３】
フロント部１２は、左右の乳房の下部の左脇付近及び右脇付近に配置された左脇部１２１及び右脇部１２２と、左右の脇部１２１、１２２の下縁、及び胸部被覆部１１の中央の下縁から股部まで延びる略Ｔ字状の中央部１２３と、該中央部１２３の左側及び右側に位置する左側部１２４及び右側部１２５とから成る。
【００２４】
左右の脇部１２１、１２２は、図１に矢印Ｃ１、Ｃ２で示す方向に大きく伸縮する伸縮性布材から形成されている。中央部１２３は、矢印Ｄで示す方向に大きく伸縮する伸縮性布材から形成されている。左右の側部１２４、１２５は全体的に伸縮する伸縮性布材から形成されている。
【００２５】
後側被覆部２０の背中被覆部２３は、左右の背中被覆部２３１、２３２を縫い合わせて構成されており、臀部被覆部２４は、左右の臀部被覆部２４１、２４２を縫い合わせて構成されている。左右の臀部被覆部２４１、２４２が着用者の臀部の形状に沿うように、それらの縫い合わせ部分をいせ込ませてギャザー３００が形成されている。左右の臀部被覆部２４１、２４２の境界部の下端には股部２５０が設けられている。股部２５０と中央部１２３の下端部の間には、２組のホック１２６が取り付けられている。
【００２６】
左肩被覆部２１及び右肩被覆部２２は、矢印Ｅ１、Ｅ２で示す方向に大きく伸縮する伸縮性布材から形成されている。また、左背中被覆部２３１及び右背中被覆部２３２は矢印Ｆ１、Ｆ２で示す方向に大きく伸縮する伸縮性布材から形成されている。さらに、左右の臀部被覆部２４１、２４２は全体的に伸縮する伸縮性布材から形成されている。
【００２７】
左背中被覆部２３１は前側被覆部１０の左脇部１２１と繋がっており、右背中被覆部２３２は右脇部１２２と繋がっている。つまり、左背中被覆部２３１と左脇部１２１、右背中被覆部２３２と右脇部１２２は、それぞれ１枚の伸縮性布材から形成されている。左背中被覆部２３１と左脇部１２１が本発明の左背中被覆部に相当し、右背中被覆部２３２と右脇部１２２が本発明の右背中被覆部に相当する。
また、左臀部被覆部２４１は前側被覆部の左側部１２４と繋がっており、右臀部被覆部２４２は右側部１２５と繋がっている。つまり、左臀部被覆部２４１と左側部１２４、右臀部被覆部２４２と右側部１２５は、それぞれ１枚の伸縮性布材から形成されている。左臀部被覆部２４１と左側部１２４が本発明の左側被覆部に相当し、右臀部被覆部２４２と右側部１２５が本発明の右側被覆部に相当する。
【００２８】
なお、ボディスーツ１の各部を構成する伸縮性布材としては、ナイロンとポリウレタンの混紡素材であるストレッチ生地やメッシュ状のパワーネット（商品名）を用いることができる。パワーネットは耐久性に劣るものの通気性に優れる。また、見映えも良いため、例えば左右の肩掛部１１４、１１６や左右の肩被覆部２１、２２に用いるとよい。また、ストレッチ生地の上にメッシュ状のパワーネットを重ね合わせて使用しても良い。二重構造にすることにより伸縮性を高めることができるとともに、見映えを良くすることができる。
【００２９】
また、本実施形態にかかるボディスーツ１は、首周りや足の付け根の周りに触れる箇所にレース４００が取り付けられている。また、適宜の箇所に装飾のためのレース４００が取り付けられている。レース４００を使用することにより、着用者に対するボディスーツ１の締め付け感を低減したり、見映えを良くする効果が得られる。
【００３０】
上記構成のボディスーツ１の着用者においては、左背中被覆部２３１及び右背中被覆部２３２が、着用者の背中（背面の上下中心よりも上部であって肩胛骨付近を除く領域）、つまり、左右の広背筋が位置する領域を被覆する。このため、左背中被覆部２３１及び右背中被覆部２３２の伸縮力によって、左右の広背筋がそれぞれ斜め左上方向及び斜め右上方向に持ち上げられる。この結果、着用者の背筋が伸ばされ、姿勢が補整される。
【００３１】
また、左背中被覆部２３１及び左脇部１２１を構成する１枚の伸縮性布材が着用者の背中心から左脇を経由して左側の乳房の下縁の左半部に至る領域を覆い、右背中被覆部２３２及び右脇部１２２を構成する１枚の伸縮性布材が着用者の背中心から右脇を経由して右側の乳房の下縁の右半部に至る領域を覆う。このように上下幅の広い伸縮性布材で着用者の背中全体及び左右の脇部が覆われるため、ボディスーツ１を着用した着用者の背中に伸縮性布材からはみ出る贅肉を少なく抑えることができ、その結果、着用者の背面の凸凹が少なくなり見映えが良くなる。
【００３２】
さらに、ボディスーツ１の着用者は中央部１２３によって腹部中央が押圧されつつ、左臀部被覆部２４１と左側部１２４、及び右臀部被覆部２４２と右側部１２５によって着用者の臀部が持ち上げられる。このため、着用者の左右の乳房よりも下の部分の体型も補整することができる。
【００３３】
また、本実施形態では、左肩掛部１１４及び右肩掛部１１６を、それぞれ大きく伸縮する方向が若干異なる２つのパーツから構成した。さらに、左肩掛部１１４及び右肩掛部１１６の上端、並びに左肩被覆部２１及び右肩被覆部２２の上端を幅広にした。そのため、左肩掛部１１４及び右肩掛部１１６、並びに左肩被覆部２１及び右肩被覆部２２によって着用者の肩の前面及び背面を引き締めつつ、これらの部材が肩に食い込んだり、肩からずり落ちたりすることを抑えることができる。
さらにまた、本実施形態に係るボディスーツ１は、縫い目が前面及び背面の中央付近に位置していて左右の側部に縫い目がないため、着用時の不快感が低減する。
【００３４】
図２は本発明の第１実施形態に係るボディスーツ１の変形例である。図２では、図１に示すボディスーツ１と同一部分には同じ符号を付している。
図１に示すボディスーツ１では、フロント部１２の左側部１２４及び右側部１２５の下端部が下肢の付け根に沿うような形状に形成されていたが、図２に示すボディスーツ１Ａでは、フロント部１２の左側部１２４及び右側部１２５の下端部の左端部及び右端部に、それぞれ足繰り部３１、３２を設けた。足繰り部３１、３２を設けたことにより、このボディスーツ１Ａでは、下肢の付ね周りが大きい場合（太股が太い場合）でもフロント部１２Ａの下端部が該下肢の付け根に食い込むことを防止できる。
【００３５】
図３は、上記第１実施形態に係るボディスーツの別の変形例を示している。図３では、図１に示すボディスーツ１と同一部分には同じ符号を付している。
図３に示すボディスーツ１Ｂでは、フロント部１２の中央部の形状がボディスーツ１と異なる。具体的には、中央部１２３Ｂが、胸部被覆部１１の下端の中央部から股部に至る領域を覆う帯状の伸縮性布材から形成されている。このような構成によれば、中央部１２３Ｂによる胸部の引き締め効果は低下するものの、乳房に対する圧迫感を低減することができる。
【００３６】
本発明に係る機能性衣類は、上記実施形態で説明した例に限定されるものではなく、適宜の変形が可能である。
例えば、本発明に係る機能性衣類は、ボディスーツの他、タンクトップ、スリップ、キャミソール、Ｔシャツ、水着、レオタードなどの上半身の前面及び背面を覆う衣類に適用することができる。
本発明に係る機能衣類をタンクトップやスリップ、キャミソール、Ｔシャツに適用するときは、胸部被覆部、背中被覆部、肩被覆部のみを備えるようにしても良い。
上記実施形態では、左肩掛部及び右肩掛部をそれぞれ２つのパーツを縫い合わせて構成したが、１パーツから構成しても良い。
【符号の説明】
【００３７】
１、１Ａ、１Ｂ…ボディスーツ（機能衣類）
１０、１０Ａ、１０Ｂ…前側被覆部
１１…胸部被覆部
１１１…左胸部被覆部
１１２…右胸部被覆部
１１３…左サポート部
１１４…左肩掛部
１１５…右サポート部
１１６…右肩掛部
１１７…左カップ部
１１８…右カップ部
１２…フロント部
１２１…左脇部
１２２…右脇部
１２３…中央部
１２４…左側部
１２５…右側部
２０…後側被覆部
２１…左肩被覆部
２２…右肩被覆部
２３…背中被覆部
２３１…左背中被覆部
２３２…右背中被覆部
２４…臀部被覆部
２４１…左臀部被覆部
２４２…右臀部被覆部
２５０…股部
３００…ギャザー
４００…レース
【図１】
2018100467.tif 000003
【図２】
2018100467.tif 000004
【図３】
2018100467.tif 000005
【手続補正書】
【提出日】平成29年12月18日(2017.12.18)
【手続補正１】
【補正対象書類名】明細書
【補正対象項目名】００３４
【補正方法】変更
【補正の内容】
【００３４】
図２は本発明の第１実施形態に係るボディスーツ１の変形例である。図２では、図１に示すボディスーツ１と同一部分には同じ符号を付している。
図１に示すボディスーツ１では、フロント部１２の左側部１２４及び右側部１２５の下端部が下肢の付け根に沿うような形状に形成されていたが、図２に示すボディスーツ１Ａでは、フロント部１２の左側部１２４及び右側部１２５の下端部の左端部及び右端部に、それぞれ足繰り部３０１、３０２を設けた。足繰り部３０１、３０２を設けたことにより、このボディスーツ１Ａでは、下肢の付ね周りが大きい場合（太股が太い場合）でもフロント部１２Ａの下端部が該下肢の付け根に食い込むことを防止できる。
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
着用者の上半身の前面及び背面を覆う機能衣類であって、
着用者の背中心から左脇を経由して左側の乳房の下縁の左半部に至る領域を覆う、該背中心から左脇に向かって斜め上方向に伸縮する伸縮性布材で形成された左背中被覆部と、
着用者の背中心から右脇を経由して右側の乳房の下縁の右半部に至る領域を覆う、該背中心から右脇に向かって斜め上方向に伸縮する伸縮性布材で形成された右背中被覆部と、
着用者の左右の乳房の下縁から左肩及び右肩に至る領域であって首の周囲部を除く領域を覆う胸部被覆部と、
該胸部被覆部の下縁の中央部から股部に至る領域を覆う、上下方向に伸縮する伸縮性布材で形成された前部中央被覆部と、
前記前部中央被覆部の左縁から着用者の左側面を経由して背面下部の中心に至る領域を覆う、伸縮性布材から形成された左側被覆部と、
前記前部中央被覆部の右縁から着用者の右側面を経由して背面下部の中心に至る領域を覆う、伸縮性布材から形成された右側被覆部と、
を備えることを特徴とする機能衣類。
【請求項２】
請求項１に記載の機能衣類において、さらに、
前記胸部被覆部が、
着用者の左側の乳房の下縁右側から左肩に向かって斜め左上方向に伸縮する伸縮性布材から形成された左肩掛部と、着用者の左側の乳房を下方から支持する、クッション性布材から形成された左サポート部とから構成された左胸部被覆部と、
着用者の右側の乳房の下縁左側から右肩に向かって斜め右上方向に伸縮する伸縮性布材から形成された右肩掛部と、着用者の右側の乳房を下方から支持する、クッション性布材から形成された右サポート部とから構成された左胸部被覆部とを備えることを特徴とする機能衣類。
【請求項３】
請求項２に記載の機能衣類において、さらに、
前記胸部被覆部が、左右の乳房を保持する左右一対のカップ部を備えることを特徴とする機能衣類。
【手続補正２】
【補正対象書類名】明細書
【補正対象項目名】０００９
【補正方法】変更
【補正の内容】
【０００９】
上記課題を解決するために成された本発明に係る機能衣類は、
着用者の上半身の前面及び背面を覆う機能衣類であって、
着用者の背中心から左脇を経由して左側の乳房の下縁の左半部に至る領域を覆う、該背中心から左脇に向かって斜め上方向に伸縮する伸縮性布材で形成された左背中被覆部と、
着用者の背中心から右脇を経由して右側の乳房の下縁の右半部に至る領域を覆う、該背中心から右脇に向かって斜め上方向に伸縮する伸縮性布材で形成された右背中被覆部と、
着用者の左右の乳房の下縁から左肩及び右肩に至る領域であって首の周囲部を除く領域を覆う胸部被覆部と、
該胸部被覆部の下縁の中央部から股部に至る領域を覆う、上下方向に伸縮する伸縮性布材で形成された前部中央被覆部と、
前記前部中央被覆部の左縁から着用者の左側面を経由して背面下部の中心に至る領域を覆う、伸縮性布材から形成された左側被覆部と、
前記前部中央被覆部の右縁から着用者の右側面を経由して背面下部の中心に至る領域を覆う、伸縮性布材から形成された右側被覆部と、
を備えることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、上記構成によれば、中央被覆部によって着用者の腹部中央を押圧しつつ、左側被覆部及び右側被覆部によって着用者の臀部が持ち上げられる。